(57)【要約】【課題】  金属アレルギーを生起しない材質から構成されていながら、射出成形によって容易に製造することができるコスト性、耐久性、安全性に優れたピアスを提供する。【解決手段】  大径のヘッド部と、該ヘッド部の中心部から一体的に突設した軸部と、を備えたピアスにおいて、前記ヘッド部と前記軸部を、樹脂材料にて構成した。【選択図】      図１
0003110284.tif 000002
【実用新案登録請求の範囲】
【請求項１】
大径のヘッド部と、該ヘッド部の中心部から一体的に突設した軸部と、を備えたピアスにおいて、
前記ヘッド部と前記軸部を、樹脂材料にて構成したことを特徴とするピアス。
【請求項２】
前記樹脂材料は、ポリプロピレンにカーボンを添加した構成を備えていることを特徴とする請求項１に記載のピアス。
【考案の詳細な説明】
【技術分野】
【０００１】
本考案は、使用者の耳たぶに形成した貫通孔に挿通して使用されるピアシング用のピアスの改良に関し、特に従来の金属製ピアスによって惹起していたかぶれ等の金属アレルギー反応を未然に防止することができるピアスに関する。
【背景技術】
【０００２】
装身用のピアスは、利用者の耳たぶに形成した貫通穴に挿通される先端が尖った針状の軸部と、軸部の他端に固定した大径のヘッド部と、から成り、軸部を耳たぶの貫通穴に挿通した状態でその軸部先端から環状のキャッチを挿通することによって取り付けられる。耳たぶは、ヘッド部とキャッチとの間で挟持された状態となり、脱落が防止される。
ところで、従来のピアスは、その軸部、及びヘッド部が何れも金属にて構成されていたため、金属アレルギーを有する使用者はピアスを全く使用できなかった。発錆による人体に対する害も予想されている。また、防錆のために金属ベースにニッケルやクロムのメッキを施したピアスにあっては、これらのメッキ材料自体がアレルギーの原因となることが多々あった。
また、金属製のピアスは、軸部とヘッド部とを別々に製作し、その後両者をろう付けにより一体化した構成を有している。このため、製造手数、コストが増大するという問題があった。
これに対して特開平８−１８２５１６号公報には金属製のピアス軸の外面にアレルギー非生起性の樹脂材料等からなる外皮を形成したピアスが開示されている。しかし、このような二重構造は製造手数の増大、製造コストのアップといった不具合を招いていた。
また、特開平１０−１２７３１９号公報には、針部をセラミックスから構成したピアスが開示されているが、ピアスの針部は１ｍｍ前後の径を有し、全長も１ｃｍに満たない短尺であることが多いため、セラミックスによる製造にはなじまない。
また、ピアスを樹脂材料にて構成した場合には剛性が低いため、耳の小孔内に挿入する際に曲がったり、折損する虞が生じる。
【特許文献１】特開平８−１８２５１６号公報
【特許文献２】特開平１０−１２７３１９号公報
【考案の開示】
【考案が解決しようとする課題】
【０００３】
本考案は上記に鑑みてなされたものであり、金属アレルギーを生起しない材質から構成されていながら、射出成形によって容易に製造することができるコスト性、耐久性、安全性に優れたピアスを提供することを目的としている。
【課題を解決するための手段】
【０００４】
上記目的を達成するため、請求項１の考案は、大径のヘッド部と、該ヘッド部の中心部から一体的に突設した軸部と、を備えたピアスにおいて、前記ヘッド部と前記軸部を、樹脂材料にて構成したことを特徴とする。
請求項２の考案は、請求項１において、前記樹脂材料は、ポリプロピレンにカーボンを添加した構成を備えていることを特徴とする。
【考案の効果】
【０００５】
本考案においては、非金属材料としての樹脂を用いてピアスを一体成形することを可能としたので、金属アレルギー反応を惹起する虞のないピアスの生産性を高めることができる。
また、ポリプロピレンに適量のカーボンを添加した構成により、微小サイズのピアス等を射出成形により製造しても、十分な硬度を有していて品質の良い製品を量産することができ、良品率を高めることができ、トータルの製品コストを低減できる。特に、単一材料から構成したので、構成がシンプルであり、低コスト化に有利である。また、カーボンを適量添加したポリプロピレンは、金属アレルギー反応を示す使用者にとっても、かぶれ等の皮膚炎、その他のアレルギー反応が全く発生することがない利点を有している。更に、カーボンの添加によってポリプロピレンの硬度が高まり、繰り返し使用によっても軸部が損耗したり、折損することがなく安全面でも優れたものとなる。軸部の外表面も平滑性にすぐれているので、耳たぶの小孔内に対する出入れに際しても抵抗が少なく、長時間装着し続けたとしても痛み、違和感等の不快感や、身体的ダメージが生じることがない。また、挿入時に折損、折れ曲がりが生じない程度の硬度を有する一方で、適度な弾性、可撓性を有しているため、耳たぶに装着した際に軸部に折損方向の応力が加わったとしても弾性変形するに過ぎず、折損することによって人体にダメージを与えることがない。美観的にも、ポリプロピレンは透明、半透明、その他、任意の色に着色することが可能であり、ピアス、キャッチの構成材料として優れている。
【考案を実施するための最良の形態】
【０００６】
以下、本考案を図面に示した実施の形態により詳細に説明する。
図１（ａ）は本考案の一実施形態に係るピアスと、このピアスと共に使用されるキャッチの構成を示す図、（ｂ）はピアスの斜視図であり、図２はこのピアスを使用者の耳たぶに設けた貫通穴に挿通してキャッチによって止めた状態を示す。
このピアス１は、宝石、その他の装飾物１０を保持する凹所を有した大径のヘッド部２と、ヘッド部２の底面中心部から一体的に突設した先端が針状の軸部３と、を備えている。
本考案では、ヘッド部２と軸部３を、樹脂材料にて一体的に構成している点が特徴的である。使用する樹脂材料としては、ポリプロピレンを用い、強度を高めるために適量のカーボンを混入、添加している。
軸部３は例えば直径１ｍｍ、長さ１０ｍｍ程度であり、ヘッド部２の直径は、例えば２〜５ｍｍ程度である。ヘッド部のサイズ、形状は取り付ける装飾物１０のサイズ、形状に応じて任意に変更できる。
装飾物１０は、ヘッド部２の凹所内に嵌合状態で整合するように構成されており、接着剤により強固に固定することができる。
また、キャッチ５は、挿通下軸部３に弾性的に圧着する穴を有しており、このキャッチ５も軸部３と同様の樹脂材料（ポリプロピレン、プラス、カーボン）、その他シリコン樹脂等にて構成する。
【０００７】
このような樹脂材料から成るピアス１、及びキャッチ５は、射出成形により製造することができるため、十分な剛性（硬度）と、適度な弾性、可撓性を備えた製品を量産することが可能となり、良品率が高まるため、トータルでの製品コストを低減することが可能となる。特に、本考案のピアス１及びキャッチは単一材料から成り、ある基材の表層に他の素材を積層、被覆することによって形成されている訳ではないので、構成がシンプルであり、低コスト化に有利である。
しかも、カーボンを適量添加したポリプロピレンは、種々の金属材料に対して金属アレルギー反応を示す使用者にとっても、かぶれ等の皮膚炎、その他のアレルギー反応が全く発生することがない利点を有している。更に、カーボンの添加によってプリプロピレンの硬度が高まり、繰り返し使用によっても軸部が損耗したり、折損することがなく、樹脂製である利点を発揮しながらも、同時に金属製のピアスと同程度の使い勝手の良さ、耐久性、安全性を確保することができる。軸部３の外表面も平滑性にすぐれているので、耳たぶ１５の小孔１５ａ内に対する出入れに際しても抵抗が少なく、人体に対する悪影響が少なく、長時間装着し続けたとしても痛み、違和感等の不快感や、身体的ダメージが生じることがない。また、弾性、可撓性を有しているため、耳たぶに装着した際に軸部３に折損方向の応力が加わったとしても弾性変形するに過ぎず、折損することによって人体にダメージを与えることがない。
美観的にも、ポリプロピレンは透明、半透明、その他、任意の色に着色することが可能であり、ピアス、キャッチの構成材料として優れている。
なお、本考案の適用対象は、図示した形状、構成を有したピアス、キャッチに限定されるものではなく、あらゆる形状のピアス、キャッチに適用することができる。
【図面の簡単な説明】
【０００８】
【図１】（ａ）は本考案の一実施形態に係るピアスと、このピアスと共に使用されるキャッチの構成を示す図、（ｂ）はピアスの斜視図である。
【図２】このピアスを使用者の耳たぶに設けた貫通穴に挿通してキャッチによって止めた状態を示す図である。
【符号の説明】
【０００９】
１  ピアス、２  ヘッド部、３  軸部、５  キャッチ、１０  装飾物。
【図１】
0003110284.tif 000003
【図２】
0003110284.tif 000004